(57)【要約】【課題】集塵部の内部に付着し堆積した塵埃を効果的に除塵でき、吸引風の低下を減少し、集塵性能を向上させた使い勝手の良い電気掃除機を提供すること。【解決手段】集塵室２７と電動送風機２２とを有する掃除機本体１２と、電源コードを巻回したコードリールと、前記集塵室に設けら塵埃を捕集する集塵袋２９と、前記電源コードの引き出しに連動して前記集塵袋２９に付着した塵埃を除塵する除塵手段３６とを備え、前記除塵手段３６は、前記集塵袋２９に除塵作用を加える除塵板３５を有すると共に、前記除塵板３５にクッション材５２を取着する構成とした。これにより、クッション材５２によって、集塵袋２９に伝えられる衝撃力を緩和し、集塵袋２９の破れ、傷付きを防止し、集塵袋の耐久性を向上させて、集塵性能が落ち難い電気掃除機を提供できるようになる。【選択図】図３
2006247095.tif 000002
【特許請求の範囲】
【請求項１】
集塵室と電動送風機とを有する掃除機本体と、電源コードを巻回したコードリールと、前記集塵室に設けられた塵埃捕集用の集塵袋と、前記電源コードの引き出し及び／又は収納に連動して前記集塵袋に付着した塵埃を除塵する除塵手段とを備え、前記除塵手段は、前記集塵袋に除塵作用を加える除塵板を有するとともに、前記除塵板の前記集塵袋と当接する側の面にクッション材を取着する構成とした電気掃除機。
【請求項２】
クッション材は通気性を有する構成とすると共に、除塵板を略格子状に構成した請求項１記載の電気掃除機。
【請求項３】
除塵板は略円弧状に形成し、集塵袋が電動送風機の吸引風により膨らんだ際、前記集塵袋の後面の略中央部に、前記除塵板の略円弧状の部分の先端が当接する構成とした請求項１または２に記載の電気掃除機。
【請求項４】
集塵袋が電動送風機の吸引風により膨らんだ際、前記集塵袋の後面の略中央部に当接する略円弧状の凸状リブを、除塵板の前記集塵袋側に突出して設ける構成とした請求項１または２に記載の電気掃除機。
【発明の詳細な説明】
【技術分野】
【０００１】
本発明は、集塵手段に塵埃が蓄積しても吸引力の低下を防止できる電気掃除機に関するものである。
【背景技術】
【０００２】
従来、この種の電気掃除機としては、下記特許文献１に記載されているようなものが一般的であった。この電気掃除機を図１０を用いて説明する。
【０００３】
掃除機本体１の後方には、吸引用の電動送風機２を内蔵した電動送風機室３が設けられ、前記掃除機本体１の前方には集塵袋４を内蔵した集塵室５が備えられている。
【０００４】
前記電動送風機室３と前記集塵室５は、掃除機本体１に設けられた隔壁６によって区画されており、前記隔壁６に設けた連通口８に対向する集塵袋４の面ａに付着する塵埃を除塵する除塵手段９が、掃除機本体１の集塵室５内に配設されている。
【０００５】
前記除塵手段９は、制御手段１０にて振動させられる振動板１１により前記面ａを叩く構成としている。その結果、電動送風機２が発する吸引風で塵埃が吸込まれ、前記集塵袋４に塵埃が蓄積された時、前記振動板１１により、集塵袋４面ａに、付着した塵埃を叩き除塵することで、空気抵抗を緩和させ吸い込み力の低下を防止するものである。
【特許文献１】特開平５―９１９６２号公報
【発明の開示】
【発明が解決しようとする課題】
【０００６】
しかしながら、前記の構成においては、掃除機本体１で集塵室５内の除塵手段９及び、振動板１１の配置固定方法が明確に開示されていない為、除塵手段９が集塵袋４に与える振動が確実に集塵袋４の面ａに伝達されず、確実かつ、効率的な除塵効果が望めないという問題点が考えられた。また、振動板１１が、集塵袋４の面ａを叩く時、集塵袋４を傷つける恐れが考えられた。
【０００７】
本発明は上記従来の課題を解決しようとするもので、集塵袋の内部に付着し堆積した塵埃を確実に、効果的に除塵でき、かつ、集塵袋を傷付けず吸引風の低下を減少させ、集塵性能を向上することを目的とする。
【課題を解決するための手段】
【０００８】
前記従来の課題を解決するために本発明は、集塵室と電動送風機とを有する掃除機本体と、電源コードを巻回したコードリールと、前記集塵室に設けられた塵埃捕集用の集塵袋と、前記電源コードの引き出し及び／又は収納に連動して前記集塵袋に付着した塵埃を除塵する除塵手段とを備え、前記除塵手段は、前記集塵袋に除塵作用を加える除塵板を有するとともに、前記除塵板の前記集塵袋と当接する側の面にクッション材を取着する構成としたものである。
【０００９】
これによって、除塵手段の除塵板に設けられたクッション材によって、集塵袋に伝えられる衝撃力を緩和し、集塵袋の破れ、傷付きを防止する、その結果、集塵袋の耐久性が良好となり塵埃を集塵し続けても集塵性能が落ち難い電気掃除機が提供できる。
【発明の効果】
【００１０】
本発明は、集塵部の内部に付着し堆積した塵埃を効率的に除塵するとともに、集塵袋の耐久性を向上させ集塵性能を向上させる電気掃除機を提供することができる。
【発明を実施するための最良の形態】
【００１１】
第１の発明は、集塵室と電動送風機とを有する掃除機本体と、電源コードを巻回したコードリールと、前記集塵室に設けられた塵埃捕集用の集塵袋と、前記電源コードの引き出し及び／又は収納に連動して前記集塵袋に付着した塵埃を除塵する除塵手段とを備え、前記除塵手段は、前記集塵袋に除塵作用を加える除塵板を有するとともに、前記除塵板の前記集塵袋と当接する側の面にクッション材を取着する構成としたことにより、除塵板が集塵袋を叩く衝撃力を緩和させ集塵袋の破れ、傷付きを防止させる。その結果、集塵袋の耐久性を向上させながら集塵袋に振動を伝えることができ、集塵袋に付着した塵埃を効率的に除塵することこととなる。
【００１２】
第２の発明は、第１の発明のクッション材は通気性を有する構成とすると共に、除塵板を略格子状に構成したもので、電動送風機の吸引風による膨らんだ集塵袋が、吸引風を自身の上流側から下流側に通過させる、クッション材をその表面に取着した除塵板と、近ずき易くなり、除塵板が集塵袋を叩く衝撃力を確実にクッション材で緩和させることが可能となり、その結果、集塵袋の破れる問題を防止し、集塵袋の耐久性を向上させることができる。
【００１３】
第３の発明は、第１または第２の発明の除塵板は略円弧状に形成し、集塵袋が電動送風機の吸引風により膨らんだ際、前記集塵袋の後面の略中央部に、前記除塵板の略円弧状の部分の先端が当接する構成としたもので、最も多くの吸引風が通過し塵埃の付着も最も多い集塵袋の後面の略中央部と除塵板が当接することとなる。その結果、より除塵手段における除塵効果の拡大が図れるものとなる。
【００１４】
第４の発明は、第１または第２の発明の集塵袋が電動送風機の吸引風により膨らんだ際、前記集塵袋の後面の略中央部に当接する略円弧状の凸状リブを、除塵板の前記集塵袋側に突出して設ける構成としたもので、最も多くの吸引風が通過し塵埃の付着も最も多い集塵袋の後面の略中央部と除塵板に設けた略円弧状の凸状リブが当接することとなる。その結果、より除塵手段における除塵効果の拡大が図れるものとなる。
【００１５】
以下、本発明の実施の形態について、図面を参照しながら説明する。なお、この実施の形態により、本発明が限定されるものではない。
【００１６】
（実施の形態１）
図１は本発明の第１の実施の形態における電気掃除機の全体斜視図、図２は、同掃除機本体の平面図、図３は同掃除機本体の断面図であり、図４は、同掃除機本体の除塵手段を示した一部切り欠き断面図を示す。図５は、同掃除機本体の除塵手段を示した部分断面図であり、図６は、同掃除機本体の除塵手段を示した正面断面図である。図７は、同掃除機本体の除塵手段を示した斜視図を示す。図８は、除塵手段の除塵板を示した部分断面図である。図９は、集塵室から集塵袋を装着する時の動作図である。
【００１７】
図１〜図３において、掃除機本体１２は、手元ハンドル１３とホース継ぎ手１４付きのホース１５とを介して延長管１６を連結し、延長管１６に取り付けられ塵埃を吸引する吸込具１７に連通している。また、掃除機本体１２は、枢支された１個の前輪キャスター１８と一対の後輪１９とを備えている。
【００１８】
この掃除機本体１２は、図３に示すように、下本体２０と上本体２１とで外郭を構成している。この掃除機本体１２の後方側に電動送風機２２が配設されており、電動送風機２２は、吸引風を発するもので、前方を第１サポートゴム２３で支持し、後方を第２サポートゴム２４を介して第１モーターカバー２５と第２モーターカバー２６により支持されており、下本体２０に装着し固定するようになっている。
【００１９】
掃除機本体１２の前方側は、集塵室２７が形成され、集塵室２７上方には、この集塵室２７を開閉自在に閉鎖する集塵蓋２８が設けられており、この集塵室２７内には塵埃を捕集する集塵袋２９が着脱自在に具備されている。
【００２０】
電動送風機室３０と集塵室２７を仕切る仕切壁３１は、下本体２０より設けられており、この仕切壁３１の上方にはパッキン３２が設けられており、パッキン３２にて集塵室２７内の空気タイトを行い気密性を確保している。
【００２１】
電動送風機２２前方の仕切壁３１には連通口３３が設けられており、電動送風機２２と、集塵室２７とが連通するようになっている。連通口３３の前方には、電動送風機２２に塵埃が進入することを防ぐメインフィルター３４が配設されている。
【００２２】
メインフィルター３４と集塵袋２９との間には、集塵袋２９を叩いて振動を与える除塵板３５を備えた除塵手段３６が設けられている。
【００２３】
除塵手段３６の構成を図４〜図７にて説明する。
【００２４】
加振アーム体３７の一端３８は、集塵室２７側に棒状の支軸３９が形成されており、この支軸３９には、除塵板３５と着脱自在に係止されている。また、加振アーム体３７は下本体２０に具備された加振アーム支持体４０の軸４１に軸支され、図５で示すように矢印Ａ方向に回転自在に構成されている。
【００２５】
加振アーム体３７の他端４２は、電動送風機室３０と集塵室２７を仕切る仕切壁３１より電動送風機室３０側に突出た形状となっている。
【００２６】
一方、電動送風機室３０側には、電動送風機２２に電力を供給する電源コード４３を巻き付けて収納できる、コードリール４４を備えたコード巻取り装置４５が配設されており、電源コード４３の引き出し時、もしくは、収納動作させることより、前記コードリール４４も回転する構成となっている。
【００２７】
コードリール４４には突起リブ４６が形成されており、加振アーム体３７の他端４２は、突起リブ４６に当接するように設けられている。また、加振アーム体３７の他端４２の下部には、バネ４７が配設されており加振アーム体３７の他端４２は、上方側に向くよう付勢されている。加振アーム体３７の一端３８と連結されている除塵板３５は、図４で示すように常に矢印Ｂ方向に付勢されている。
【００２８】
コード巻取り装置４５のコードリール４４は、隔壁体４８に軸支されており、この隔壁体４８には、コードリール４４の回転を制止および解放を抑制させるブレーキレバー４９が回動自在に備えており、ブレーキレバー４９の一端側には、ブレーキレバー４９と連動するブレーキボタン５０が設けられている。
【００２９】
図３において、集塵袋２９を叩いて振動を与える除塵板３５の上端及び下端側にＬ字上のリブ５１が形成されており、このＬ字上のリブ５１間に、電動送風機２２に塵埃が進入することを防ぐフィルター５２が係止されている。
【００３０】
以上のように構成された除塵手段３６について、以下その動作、作用を説明する。
【００３１】
図５において、電源コード４３の引き出し時、コードリール４４に形成された突起リブ４６も回動する。突起リブ４６の回動に従って加振アーム体３７の他端４２は突起リブ４６に押圧され図５で示す矢印Ｃ方向に回動する。さらに、コードリール４４が回動すれば、加振アーム体３７の他端４２は突起リブ４６の押圧からはずれ、バネ４７の反発力より、図５で示すＢ方向に衝撃的に動作する。この時、加振アーム体３７の一端３８と連動している除塵板３５にも衝撃的な動作が生じ除塵板３５に面した集塵袋２９を叩き、集塵袋２９に付着した塵埃を除塵させることができる。また、この時、衝撃的な動作が生じる除塵板３５に設けられたフィルター５２は、緩衝材となって集塵袋２９に叩く力が緩衝され、集塵袋２９の破れ、傷付き等を防止する。
【００３２】
その結果、集塵袋２９の耐久性を向上させ、且つ、除塵手段３６の構成が低ランニングコストで集塵袋２９に大きな振動を伝えることができ、集塵袋２９に付着した塵埃を確実に除塵させる。
【００３３】
図３において、フィルター（通気性を有するクッション材）５２は、除塵板３５と、集塵袋２９との間で、集塵袋２９側に、フィルター５２は、除塵板３５に係止されている。
【００３４】
このことより、低ランニングコストで除塵板３５が集塵袋２９を叩く衝撃力は確実にフィルター５１で緩和させることとなり、その結果、集塵袋を破れにくくし、集塵袋の耐久性を向上させることができる。
【００３５】
また、図３、図９において、集塵袋２９が電動送風機２２の吸引風により膨らんだ際、この集塵袋２９の後方後面の略中央部５３が、電動送風機２２の連通口３３の略中央に位置している。一方、除塵板３５は、円弧状５４に形成されており、この除塵板３５で、円弧状５４の略中心５５は、集塵袋２９の後方後面の略中央部５３を叩くよう配設されている。
【００３６】
このことより、最も吸引風が通過し塵埃の付着が最も多いと考えられる集塵袋２９の部分を叩くこととなり、より除塵手段における除塵効果の拡大が図れるものとなる。
【００３７】
また、図９において、除塵板３５の上端をテーパー状５６に傾斜させることより、図８で示すように、集塵袋２９を、集塵室２７に挿入セットする際、除塵板３５に形成されたテーパー状５６が集塵袋２９を誘い集塵袋２９の装着が容易となり使用性が向上する。
【００３８】
図７、図９において、除塵板３５は、複数のリブ５７で形成された開口部５８が設けられている。また、この複数のリブ５７で、床面に対して水平方向のリブ５７は、電動送風機２２の吸引方向に対して斜め５９に傾斜されている。
【００３９】
このことより、除塵板３５のリブ５７等に付着した塵埃は、斜め５９に傾斜されたリブ５７から自重ですべり落ち、除塵板３５へのゴミ付着を防止させることが可能となる。
【００４０】
また、図７、図９において、除塵板３５は、複数のリブ５７で形成された開口部５８が設けられており、この複数のリブ５７で、床面に対して水平方向のリブ５７の片側に立壁６０が形成されている。
【００４１】
このことより、電動送風機２２に微細な塵埃進入を防止し、その結果、電動送風機２２の耐久性を向上させる。
【００４２】
また、図７、図９において、除塵板３５の集塵袋２９側に略円弧状の複数個の凸リブ６１が形成することで、吸引風により集塵袋２９が膨らんだ時、集塵袋２９が除塵板３５にへばり付いて集塵性能が悪化することがなくなる。その結果、廉価な構成で集塵性能を向上させることが可能となる。
【００４３】
図９において、除塵板３５に形成された凸状リブ６１の相対位置で、フィルター５２側にはスリット６２が設けられており、フィルター５２のスリット６２は、除塵板３５に形成された凸状リブ６１に嵌合され挿入保持されている。
【００４４】
このことより、簡単な構成で、フィルター５２と除塵板３５の位置決めをし、係止させることが可能となる。
【００４５】
また図９において、除塵板３５に形成された凸状リブ６１を、軟質材で形成することより、除塵板３５が集塵袋２９を叩く際、この凸状リブ６１で集塵袋２９を破ったり、傷つける恐れがなくなり、集塵袋２９の耐久性を向上させる。
【００４６】
図５において、コードリール４４の回転に連動して除塵板３５が揺動する動作幅６３を５ｍｍから１５ｍｍとなるようにすることより、集塵袋２９の内部に付着し堆積した塵埃を確実で効果的に除塵でき、かつ、初期の風量を回復さることが可能となり吸引風の低下を減少させ、効率良く除塵を行うことができる。
【産業上の利用可能性】
【００４７】
以上のように、本発明にかかる電気掃除機は、集塵袋の内部に付着し堆積した塵埃を効果的に除塵でき、かつ、集塵袋を損傷させることなく吸引風の低下を減少し、集塵性能を向上させ、家庭、業務用等の用途に適応できる。
【図面の簡単な説明】
【００４８】
【図１】本発明の実施の形態１を示す電気掃除機の全体斜視図
【図２】同電気掃除機本体の平面図
【図３】同掃除機本体の断面図
【図４】同掃除機本体の除塵手段を示した一部切り欠き断面図
【図５】同掃除機本体の除塵手段を示した部分断面図
【図６】同掃除機本体の除塵手段を示した正面断面図
【図７】同掃除機本体の除塵手段を示した斜視図
【図８】同掃除機本体の除塵手段の除塵板を示した部分断面図
【図９】同掃除機本体の集塵室から紙袋を装着する時の動作図
【図１０】従来の掃除機本体の要部断面図
【符号の説明】
【００４９】
１２  掃除機本体
２２  電動送風機
２７  集塵室
２９  集塵袋
３５  除塵板
３６  除塵手段
４３  電源コード
４４  コードリール
５２  フィルター
５３  略中央部
５５  略中心
５６  テーパー状
５７  リブ
５８  開口部
５９  斜め
６０  立壁
６１  凸リブ
６２  スリット
６３  動作幅
【図１】
2006247095.tif 000003
【図２】
2006247095.tif 000004
【図３】
2006247095.tif 000005
【図４】
2006247095.tif 000006
【図５】
2006247095.tif 000007
【図６】
2006247095.tif 000008
【図７】
2006247095.tif 000009
【図８】
2006247095.tif 000010
【図９】
2006247095.tif 000011
【図１０】
2006247095.tif 000012